(57)【要約】【課題】トルクリミタ機能付きねじ締結具において、大型化やばね付勢力を増大することなく大きい規定トルクを設定でき、併せてトルクリミタ機能付きねじ締結具の組付性および分解保守性に優れたものにすること。【解決手段】第１の部材１０と第２の部材３０との間に、複数枚の駆動側ディスク部材５０と被動側ディスク部材５２とによる多板式のトルクリミタを構成し、第１の部材１０と第２の部材３０とを止めねじ部材２２によって連結、分解できる構造にする。【選択図】図４
2015158221.tif 000002
【特許請求の範囲】
【請求項１】
ねじ廻し工具が係合する工具係合部を有し且つ軸線方向で見て前記工具係合部とは反対の側に向けて開口した中心嵌合孔および当該中心嵌合孔の径方向外方に延在する環状の端面部を有する第１の部材と、
前記中心嵌合孔に回転可能に嵌合し、外周部に周溝を形成された嵌合軸部を一端部に有し、他端部の外周部に雄ねじ部を形成され且つ他端部に締結用ねじ部を有し、更に前記嵌合軸部と前記雄ねじ部との間にディスク支持軸部を有する筒状の第２の部材と、
前記第１の部材を径方向に貫通するねじ孔にねじ係合し、先端部が前記嵌合軸部の外周に形成された周溝に摺動可能に嵌合する止めねじ部材と、
前記第１の部材に固定され、前記第１の部材より前記第２の部材の側に軸線方向に延在する棒状部材と、
前記ディスク支持軸部の外周部に軸線方向に移動可能に且つ回転可能に嵌合し、且つ前記棒状部材が軸線方向に貫通する貫通孔を有する複数枚の駆動側ディスク部材と、
前記ディスク支持軸部の外周部に前記駆動側ディスク部材と交互に軸線方向に移動可能に且つ回転不能に嵌合した複数枚の被動側ディスク部材と、
前記ディスク支持軸部の外周部に軸線方向に移動可能に取り付けられ、前記駆動側ディスク部材と前記被動側ディスク部材とを前記第１の部材の前記端面部に向けて付勢する板ばねと、
前記第２の部材の前記雄ねじ部にねじ係合し、前記板ばねに予荷重を付与するばね受け部材とを有するねじ締結具。
【請求項２】
前記工具係合部が多角形をなし、前記ディスク支持軸部は前記ねじ廻し工具と同一のねじ廻し工具が係合可能な多角形軸部をなし、被動側ディスク部材は前記多角形軸部に嵌合することにより、前記第２の部材に対して回り止め装着されている請求項１に記載のねじ締結具。
【請求項３】
前記駆動側ディスク部材と前記被動側ディスク部材とが互いに接触する少なくとも一方の面に前記駆動側ディスク部材および前記被動側ディスク部材を構成する材料より耐腐食性が高い材料による薄板が配置あるいは同材料による被膜層が形成されている請求項１または２に記載のねじ締結具。
【発明の詳細な説明】
【技術分野】
【０００１】
本発明は、ねじ締結具に関し、更に詳細には、最大締付トルクを設定するトルクリミタ機能付きのボルトあるいはナットに関する。
【背景技術】
【０００２】
トルクリミタ機能付きのボルトとして、ねじ廻し工具が係合する工具係合部を有する頭部部材と、雄ねじを形成された雄ねじ部材とにねじ弛み側が逆止のラチェット部が形成され、頭部部材と雄ねじ部材との間に設けられたばねによって前記ラチェット部の緩斜面同士が互いに係合する方向に付勢し、緩斜面同士の摩擦によって頭部部材から雌ねじ部材へねじ締め付け方向のトルクが伝達されるようにし、規定値（最大締付トルク）以上のトルクによって頭部部材が廻されると前記緩斜面同士が互いに滑ることにより、規定値以上のトルクによってボルトが締結相手の雌ねじにねじ係合することを防止するよう構成されたボルトが知られている（例えば、特許文献１）。
【０００３】
また、トルクリミタ機能付きのナットとして、ねじ廻し工具が係合する工具係合部を有する頭部部材と、雌ねじを形成された雌ねじ部材とに互いにスラスト方向の接触する摩擦係合面が形成され、頭部部材と雌ねじ部材との間に設けられたばねによって摩擦係合面同士が互いに接触する方向に付勢し、摩擦係合面同士の摩擦によって頭部部材から雌ねじ部材へねじ締め付け方向のトルクが伝達され、規定値（最大締付トルク）以上のトルクによって頭部部材が廻されると、摩擦係合面同士が互いに滑ることにより、規定値以上のトルクによってナットが締結相手の雄ねじにねじ係合することを防止するよう構成されたナットが知られている（例えば、特許文献２）。
【先行技術文献】
【特許文献】
【０００４】
【特許文献１】特開２０００−２７８８６号公報
【特許文献２】特開平１０−４７３２６号公報
【発明の概要】
【発明が解決しようとする課題】
【０００５】
従来から知られているトルクリミタ機能付きのボルト、ナットは、その構造上、大型化するか、ばね付勢力を増大させないと、大きい規定トルクを設定することができず、大きさや組付性、分解保守性に問題を残している。
【０００６】
本発明が解決しようとする課題は、トルクリミタ機能付きねじ締結具（ボルト、ナット）において、大型化やばね付勢力を増大することなく大きい規定トルクを設定でき、併せてトルクリミタ機能付きねじ締結具の組付性および分解保守性に優れたものにすることである。
【課題を解決するための手段】
【０００７】
本発明によるねじ締結具は、ねじ廻し工具が係合する工具係合部（１４）を有し且つ軸線方向で見て前記工具係合部とは反対の側に向けて開口した中心嵌合孔（１６）および当該中心嵌合孔の径方向外方に延在する環状の端面部（１８）を有する第１の部材（１０）と、前記中心嵌合孔（１６）に回転可能に嵌合し外周部に周溝（３４）を形成された嵌合軸部（３２）を一端部に有し他端部の外周部に雄ねじ部（４０）を形成され且つ他端部に締結用ねじ部（４２、７２）を有し更に前記嵌合軸部（３２）と前記雄ねじ部（４０）との間にディスク支持軸部（３６）を有する筒状の第２の部材（３０）と、前記第１の部材（１０）を径方向に貫通するねじ孔（２０）にねじ係合し、先端部（２４）が前記嵌合軸部（３２）の外周に形成された周溝（３４）に摺動可能に嵌合する止めねじ部材（２２）と、前記第１の部材（１０）に固定され、前記第１の部材（１０）より前記第２の部材（３０）の側に軸線方向に延在する棒状部材（２８）と、前記ディスク支持軸部（３６）の外周部に軸線方向に移動可能に且つ回転可能に嵌合し且つ前記棒状部材（２８）が軸線方向に移動可能に貫通する貫通孔（５０Ｃ）を有する複数枚の駆動側ディスク部材（５０）と、前記第２の部材（３０）の前記ディスク支持軸部（３６）の外周部に前記駆動側ディスク部材（５０）と交互に軸線方向に移動可能に且つ回転不能に嵌合した複数枚の被動側ディスク部材（５２）と、前記ディスク支持軸部（３６）の外周部に軸線方向に移動可能に取り付けられ、前記駆動側ディスク部材（５０）と前記被動側ディスク部材（５２）とを前記第１の部材（１０）の前記端面部（１８）に向けて付勢するばね部材（５８）と、前記第２の部材（３０）の前記雄ねじ部（４０）にねじ係合し、前記ばね部材（５８）に予荷重を付与するばね受け部材（６２）とを有する。
【０００８】
この構成によれば、第１の部材（１０）と第２の部材（３０）との間に、複数枚の駆動側ディスク部材（５０）と被動側ディスク部材（５２）とによる多板式のトルクリミタが構成され、第１の部材（１０）と第２の部材（３０）とを止めねじ部材（２２）によって連結、分解できるから、大型化やばね付勢力の増大を招くことなく大きい規定トルクを設定でき、併せてトルクリミタ機能付きねじ締結具の組付性および分解保守性が改善される。
【０００９】
本発明によるねじ締結具は、好ましくは、前記工具係合部（１４）が多角形をなし、前記ディスク支持軸部（３６）は前記ねじ廻し工具と同一のねじ廻し工具が係合可能な多角形軸部（３６Ａ）をなし、被動側ディスク部材（５２）は前記多角形軸部（３６Ａ）に嵌合することにより、前記第２の部材（３０）に対して回り止め装着されている。
【００１０】
この構成によれば、多角形軸部（３６Ａ）が被動側ディスク部材（５２）の回り止めと第２の部材（３０）を直接廻すための工具係合部とを兼ねるようになり、しかも、第２の部材（３０）を直接廻すための工具は、第１の部材（１０）を廻すナット廻し工具と同じ工具を用いることができ、２種類のナット廻し工具を準備する必要がなくなる。
【００１１】
本発明によるねじ締結具は、好ましくは、更に、前記駆動側ディスク部材（５０）と前記被動側ディスク部材（５２）とが互いに接触する少なくとも一方の面に前記駆動側ディスク部材（５０）および前記被動側ディスク部材（５２）を構成する材料より耐腐食性が高い材料による薄板（５４）が配置あるいは同材料による被膜層が形成されている。
【００１２】
この構成によれば、錆付き等による摩擦面の固着を、オイルメタルのような高価な浸油材を用いることなく回避することができる。
【発明の効果】
【００１３】
本発明によるねじ締結具によれば、第１の部材と第２の部材との間に複数枚の駆動側ディスク部材と被動側ディスク部材とによる多板式のトルクリミタが構成され、第１の部材と第２の部材とを止めねじ部材によって連結、分解できる構造になっているから、トルクリミタ機能付きねじ締結具を大型化やばね付勢力の増大を招くことなく大きい規定トルクを設定でき、併せてトルクリミタ機能付きねじ締結具の組付性および分解保守性が改善される。
【図面の簡単な説明】
【００１４】
【図１】本発明によるねじ締結具（ナット）の一つの実施形態を示す斜視図。
【図２】本実施形態によるナットの分解斜視図。
【図３】本実施形態によるナットの側面図。
【図４】本実施形態による図３の線IV−IVに沿った断面図。
【図５】図４のＡ部分の拡大断面図。
【図６】本実施形態による図３の線VI−VIに沿った断面図。
【図７】本発明によるねじ締結具（ボルト）の他の実施形態を示す断面図。
【発明を実施するための形態】
【００１５】
以下に、本発明によるナットの一つの実施形態を、図１〜図６を参照して説明する。
【００１６】
本実施形態によるナット１は第１の部材１０を有する。第１の部材１０は、円環状の主部１２と、主部１２の軸線方向の一方の側（図４で見て右側）に突出形成された工具係合部１４とを一体に有する。
【００１７】
工具係合部１４は六角柱形状をしており、当該工具係合部１４にはスパナ等のナット廻し工具（不図示）が着脱可能に係合する。主部１２の中心部は軸線方向で見て工具係合部１４とは反対の側（図４で見て左側）に向けて開口した中心嵌合孔１６になっている。中心嵌合孔１６は、横断断面形状が円形の孔であり、円環状の底部１６Ａを有する。
【００１８】
主部１２の軸線方向で見て工具係合部１４とは反対の側（図４で見て左側）、つまり中心嵌合孔１６の開口端側は、中心嵌合孔１６の径方向外方に延在する環状の端面部１８になっている。端面部１８は中心軸線に対して直交する方向に延在するスラスト面部である。
【００１９】
主部１２の外周近傍には主部１２を軸線方向に貫通する貫通孔２６が円周方向の６箇所に等間隔に形成されている。各貫通孔２６には棒状部材をなすスプリングピン２８の一端部（図４で見て右側の端部）が打ち込まれている。各スプリングピン２８は、主部１２に固定で、主部１２より後述する第２の部材３０の側（図４で見て左側）に、第１の部材１０の中心軸線と平行な軸線方向に延在している。
【００２０】
中心嵌合孔１６には、第２の部材３０の一端部（図４で見て右側の端部）に形成された円筒形状の嵌合軸部３２が底部１６Ａに突き当てられた状態で、第１の部材１０の中心軸線周りに回転可能に嵌合している。嵌合軸部３２の外周部には円環状の周溝３４が形成されている。主部１２には当該主部１２を径方向に貫通するねじ孔２０が形成されている。ねじ孔２０には止めねじ部材２２がねじ係合しており、止めねじ部材２２の先端部に一体形成された円柱形状の突部２４が周溝３４に摺動可能に嵌合している。
【００２１】
これにより、第２の部材３０は、軸線方向の抜け止めをされた状態で、第１の部材１０と同一軸線上に延在して第１の部材１０に対して相対回転可能である。第２の部材３０は、全体が円筒形状で、嵌合軸部３２と、ディスク支持軸部３６と、ねじ形成軸部３８とを軸線方向に順に有する。
【００２２】
ねじ形成軸部３８は、第２の部材３０の他端部（図４で見て左側の端部）に形成されたディスク支持軸部３６より小径の軸部であり、外周部に雄ねじ部４０を形成され、内周部にナットとしての締結用ねじ部である雌ねじ部４２が形成されている。
【００２３】
ディスク支持軸部３６は、嵌合軸部３２とねじ形成軸部３８との間にあり、図２に示されているように、工具係合部１４に係合するナット廻し工具（不図示）と同一のナット廻し工具（不図示）が着脱可能に係合可能な六角形軸部３６Ａをなしている。六角形軸部３６Ａの各角部は、ディスク支持軸部３６と同心の部分円周面３６Ｂになっている。つまり、六角形軸部３６Ａは、角部が部分円周面３６Ｂになっていること以外、工具係合部１４の六角柱形状と同一である。
【００２４】
ディスク支持軸部３６の外周部には、複数枚の円盤状の駆動側ディスク部材５０と、複数枚の円盤状の被動側ディスク部材５２とが各々軸線方向に移動可能に交互に配置されている。
【００２５】
駆動側ディスク部材５０は、各々、円形の中心嵌合孔５０Ａを有し、中心嵌合孔５０Ａによってディスク支持軸部３６の部分円周面３６Ｂに円周方向および軸線方向に摺動可能に嵌合している。これにより、駆動側ディスク部材５０は、第２の部材３０に対して回転可能且つ軸線方向に移動可能である。
【００２６】
各駆動側ディスク部材５０の外周近傍には、スリット５０Ｂを有する貫通孔５０Ｃが軸線方向に貫通形成されている。貫通孔５０Ｃは駆動側ディスク部材５０の円周方向の６箇所に等間隔に形成されている。各貫通孔５０Ｃには対応する位置にある各スプリングピン２８が滑り嵌合状態で軸線方向に貫通している。これにより、駆動側ディスク部材５０は、第１の部材１０に対して回転可能且つ軸線方向に移動可能である。換言すると、駆動側ディスク部材５０は第１の部材１０と一体的に回転する。
【００２７】
被動側ディスク部材５２は、各々、六角形の中心嵌合孔５２Ａを有し、中心嵌合孔５２Ａによって六角形軸部３６Ａに軸線方向に摺動可能に嵌合している。これにより、被動側ディスク部材５２は、第２の部材３０に対して回転不能且つ軸線方向に移動可能になっている。換言すると、被動側ディスク部材５２は第２の部材３０と一体的に回転する。
【００２８】
被動側ディスク部材５２の外径は駆動側ディスク部材５０の外径より小さく、被動側ディスク部材５２は、スプリングピン２８との間に径方向の間隙を有し、スプリングピン２８に接触することがない。
【００２９】
駆動側ディスク部材５０および被動側ディスク部材５２は、一般的な鋼板によって構成されている。被動側ディスク部材５２が駆動側ディスク部材５０と接触する両面には、図５に示されているように、ステンレス鋼等、駆動側ディスク部材５０および被動側ディスク部材５２を構成する材料より耐腐食性、特に耐発錆性が高い材料による薄板５４が配置されている。
【００３０】
軸線方向で見て第１の部材１０の端面部１８に最も近い位置には被動側ディスク部材５２があり、次に駆動側ディスク部材５０があり、以降、被動側ディスク部材５２と駆動側ディスク部材５０とが同数枚交互に配置され、最もねじ形成軸部３８の側には、更に、プレッシャプレート５６と円環形状の板ばね５８とが順に配置されている。
【００３１】
プレッシャプレート５６は六角形の中心嵌合孔５６Ａを有し、中心嵌合孔５６Ａによって六角形軸部３６Ａに軸線方向に摺動可能に嵌合している。これにより、プレッシャプレート５６は、被動側ディスク部材５２と同様に、第２の部材３０に対して回転不能且つ軸線方向に移動可能になっている。換言すると、プレッシャプレート５６は第２の部材３０と一体的に回転する。
【００３２】
なお、プレッシャプレート５６は、一般的な鋼板によって構成されている。プレッシャプレート５６が駆動側ディスク部材５０と接触する面にも、図５に示されているように、ステンレス鋼等、プレッシャプレート５６を構成する材料より耐腐食性、特に耐発錆性が高い材料による薄板５４が配置されている。
【００３３】
板ばね５８は、円形の中心嵌合孔５８Ａを有し、中心嵌合孔５８Ａによってディスク支持軸部３６の部分円周面３６Ｂに円周方向および軸線方向に摺動可能に遊嵌合している。これにより、板ばね５８は、第２の部材３０に対して回転可能且つ軸線方向に移動可能である。板ばね５８は、駆動側ディスク部材５０と被動側ディスク部材５２とをプレッシャプレート５６を介して第１の部材１０の端面部１８に向けて付勢するばね部材である。
【００３４】
雄ねじ部４０には、円環形状のばね受け部材６２の内周部に形成された雌ねじ部６４がねじ係合している。ばね受け部材６２は、雄ねじ部４０に対するねじ込みによって板ばね５８の側に移動（螺進）し、板ばね５８に予荷重を付与する。
【００３５】
ばね受け部材６２には円環形状の一部を開放するスリット６６が形成されている。ばね受け部材６２にはスリット６６を一方の側から他方の側に通過してばね受け部材６２にねじ係合した締め付けねじ６８が設けられている。ばね受け部材６２は、締め付けねじ６８によってスリット６６が狭まる方向に弾性変形することにより、雄ねじ部４０の任意の軸線方向位置（螺進位置）にてねじ形成軸部３８に対して固定される。
【００３６】
上述した駆動側ディスク部材５０と被動側ディスク部材５２とプレッシャプレート５６と板ばね５８とばね受け部材６２とにより、第１の部材１０と第２の部材３０との間に、多板式のトルクリミタが構成される。
【００３７】
このトルクリミタの規定トルク（最大締付トルク）は、板ばね５８に付与する予荷重により決まる。第１の部材１０が工具係合部１４に係合したナット廻し工具（不図示）によって規定トルク未満のトルクで廻されている時には、第１の部材１０の回転が、スプリングピン２８から駆動側ディスク部材５０と被動側ディスク部材５２との摩擦によって第２の部材３０に伝達され、第２の部材３０が第１の部材１０と一体的に回転する。
【００３８】
第２の部材３０の回転によって雌ねじ部４２にねじ係合したボルト（不図示）に対する雌ねじ部４２の螺進が進み、ナット１の締め付けによってねじ締結が行われる。ねじ締結の進行によって第１の部材１０を廻すのに必要なトルクが増大し、このトルクがトルクリミタの規定トルクに達すると、駆動側ディスク部材５０が被動側ディスク部材５２に対して滑りを生じ、第１の部材１０が廻されても第２の部材３０が回転することはない。これにより、過剰な締付トルクによるねじ締結が回避される。
【００３９】
このトルクリミタの規定トルクは、ねじ形成軸部３８に対するばね受け部材６２の螺進量によって連続的に可変設定することができる。
【００４０】
このトルクリミタにおいては、駆動側ディスク部材５０と被動側ディスク部材５２との摩擦面およびプレッシャプレート５６と摩擦面は、耐腐食性が高い材料による薄板５４によって構成されるから、錆付き等による摩擦面の固着を、オイルメタルのような高価な浸油材を用いることなく回避することができる。
【００４１】
ナット１に組み込まれたトルクリミタは、多板式であるから、駆動側ディスク部材５０と被動側ディスク部材５２との摩擦面の直径を大きくすることなく摩擦面積を大きく取れるので、トルクリミタの外径を大きくすることなく、板ばね５８によるばね付勢力を大きくすることなく大きい規定トルクを設定することができる。
【００４２】
駆動側ディスク部材５０と第１の部材１０とのトルク伝達のための係合は、アウタケースの内周壁に形成されたスプラインと駆動側ディスク部材の外周縁部に形成されたスプラインとの係合によらずに、駆動側ディスク部材５０の外周縁部より径方向内方にある貫通孔５０Ｃとスプリングピン２８との係合によって行われるから、このことによってもトルクリミタの外径を小さくすることができる。
【００４３】
ナット１の組立は、止めねじ部材２２によって第２の部材３０を第１の部材１０に取り付けた状態で、ディスク支持軸部３６の外周部に、複数枚の駆動側ディスク部材５０と複数枚の被動側ディスク部材５２とを交互に取り付け、更にプレッシャプレート５６と板ばね５８とを順に取り付け、その後に雄ねじ部４０にばね受け部材６２をねじ込み、所要の規定トルクが得られる螺進にて締め付けねじ６８を締め付けてばね受け部材６２をねじ形成軸部３８に固定することにより完了する。
【００４４】
ナット１のもう一つの組立手順として、第２の部材３０を第１の部材１０に取り付けない状態で、ディスク支持軸部３６の外周部に、複数枚の駆動側ディスク部材５０と複数枚の被動側ディスク部材５２とを交互に取り付け、更にプレッシャプレート５６と板ばね５８とを順に取り付け、その後に雄ねじ部４０にばね受け部材６２をねじ込み、所要の規定トルクが得られる螺進にて締め付けねじ６８を締め付けてばね受け部材６２をねじ形成軸部３８に固定し、これをサブアッシィとして、第２の部材３０の嵌合軸部３２を第１の部材１０の中心嵌合孔１６に挿入し、ねじ孔２０に止めねじ部材２２をねじ係合させて最後に第２の部材３０を第１の部材１０に連結する組立手順もある。
【００４５】
なお、第２の部材３０に組み付けられて板ばね５８によってばね付勢されている駆動側ディスク部材５０、被動側ディスク部材５２、プレッシャプレート５６は、ディスク支持軸部３６の嵌合軸部３２側の端部外周に突起３６Ｃが形成されていることにより、サブアッシィ状態で、ディスク支持軸部３６の嵌合軸部３２側から脱落することがない。
【００４６】
この場合には、第２の部材３０を、当該第２の部材３０に駆動側ディスク部材５０と被動側ディスク部材５２とプレッシャプレート５６と板ばね５８とばね受け部材６２とが組み付けられたサブアッシィとして取り扱うことができ、トルクリミタを組み込まれたナット１の組立作業性が向上する。
【００４７】
ナット１の分解は上述した組立手順と逆の手順によって行うことができ、止めねじ部材２２を緩めるだけで、第１の部材１０と第２の部材３０とを簡単に分解することができるから、部品交換の作業性も向上する。
【００４８】
ナット１の雌ねじ部４２において錆付き等による固着が生じ、ナット１を緩めるのにトルクリミタの規定トルク以上のトルクが必要な場合には、第１の部材１０を廻しても、トルクリミタの滑り作用によって第２の部材３０が回らない事態に陥ることになる。
【００４９】
この場合には、締め付けねじ６８を緩めてばね受け部材６２の螺進を戻し、駆動側ディスク部材５０、被動側ディスク部材５２、プレッシャプレート５６、板ばね５８をねじ形成軸部３８側にずらし、六角形軸部３６Ａを外部に露呈させ、六角形軸部３６Ａにナット廻し工具（不図示）を係合させてナット廻し工具によって第２の部材３０を緩み側に直接廻すことにより、ナット１を緩めることができる。このように、六角形軸部３６Ａは、被動側ディスク部材５２の回り止めと、第２の部材３０を直接廻すための工具係合部とを兼ねることになる。
【００５０】
この際のナット廻し工具は、六角形軸部３６Ａが工具係合部１４と実質的に同じであるから、第１の部材１０を廻すナット廻し工具と同じ工具を用いることができ、２種類のナット廻し工具を準備する必要がなくなる。
【００５１】
なお、嵌合軸部３２側の端部外周に突起３６Ｃがない構造のものである場合には、止めねじ部材２２を緩めて第１の部材１０と第２の部材３０とを分解し、嵌合軸部３２の側から、駆動側ディスク部材５０と被動側ディスク部材５２とを取り外すことにより、六角形軸部３６Ａを外部に露呈させるができる。
【００５２】
次に、本発明によるボルトの一つの実施形態を、図７を参照して説明する。なお、図７において、図４に対応する部分は、図４に付した符号と同一の符号を付けて、その説明を省略する。
【００５３】
この実施形態では、第２の部材３０が中実軸体によって構成され、雌ねじ部４２に代えて、ボルト７０をなす締結用ねじ部として、第２の部材３０の先端部に雄ねじ部７２が形成されている。このこと以外は、前述のナット１と同じ構造である。
【００５４】
この実施形態のボルト７０は、前述のナット１と同等に作用し、同等の効果を奏する。
【００５５】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５６】
例えば、工具係合部は、六角柱状のものに限られることなく、四角柱状等、他の多角柱状であっても、多角形孔であってもよい。
【００５７】
また、薄板５４は駆動側ディスク部材５０の両面あるいは駆動側ディスク部材５０および被動側ディスク部材５２の両面に配置されていても、駆動側ディスク部材５０と被動側ディスク部材５２とが互いに接触する少なくとも一方の面に、駆動側ディスク部材５０および被動側ディスク部材５２を構成する材料より耐腐食性が高い材料による被膜層が形成されていてもよい。なお、これらのことは必須ではない。
【００５８】
また、第１の部材１０と第２の部材３０とを連結する止めねじ部材２２は、１個に限られることはなく、周方向に等間隔に複数個設けられていてもよい。スプリングピン２８に代えて中実あるいは筒状の棒状部材が用いられてもよい。板ばね５８に代えて圧縮コイルばねやゴム状弾性部材が用いられてもよい。
【００５９】
第１の部材１０と第２の部材３０とを分解する必要がない場合には、止めねじ部材２２に代えてスプリングピン等のピン部材によって第１の部材１０と第２の部材３０とが相対回転可能に連結されてもよい。また、突起３６Ｃが省略され、突起３６Ｃに代えてスナップリング等が着脱可能に装着されていてもよい。
【００６０】
また、上記実施形態に示した構成要素は必ずしも全てが必須なものではなく、本発明の趣旨を逸脱しない限りにおいて適宜取捨選択することが可能である。
【符号の説明】
【００６１】
１０    第１の部材
１４    工具係合部
１６    中心嵌合孔
１８    端面部
２０    ねじ孔
２２    止めねじ部材
２８    スプリングピン（棒状部材）
３０    第２の部材
３２    嵌合軸部
３４    周溝
３６    ディスク支持軸部
３６Ａ  六角形軸部
３６Ｂ  部分円周面
３８    ねじ形成軸部
４０    雄ねじ部
４２    雌ねじ部
５０    駆動側ディスク部材
５０Ｃ  貫通孔
５２    被動側ディスク部材
５４    薄板
５６    プレッシャプレート
５８    板ばね
６２    ばね受け部材
６６    スリット
６８    締め付けねじ
７０    ボルト
７２    雄ねじ部
【図１】
2015158221.tif 000003
【図２】
2015158221.tif 000004
【図３】
2015158221.tif 000005
【図４】
2015158221.tif 000006
【図５】
2015158221.tif 000007
【図６】
2015158221.tif 000008
【図７】
2015158221.tif 000009